(57)【要約】【課題】  分割コア１におけるコイル巻線１４の線積率をより一層向上させることを可能とする。【解決手段】  円周方向に隣接する一対の突極１３，１３のうちの一方側に巻回したコイル巻線１４の一部を、両者の境界線Ｘを越えて張り出した凸状の巻回形状１４ａをなすように形成するとともに、上記他方側の突極１３に巻回したコイル巻線１４の一部を、上記一方側の突極１３のコイル巻線１４における凸状の巻回形状１４ａと干渉しないように前記境界線Ｘから窪んだ凹状の巻回形状１４ｂをなすように形成したことによって、円周方向に隣接する突極１３，１３のコイル巻線１４，１４を、境界線Ｘを越えないで巻回したときに生じる空間内にも巻回されることを可能としたもの。【選択図】        図３
2004260985.tif 000002
【特許請求の範囲】
【請求項１】
分割コアを複数個にわたって組み合わせることにより、複数個の突極を円周方向に沿って環状に隣接させるように放射状に配列した電機子コアを有するものであって、
上記複数個の分割コアを組み合わせたときの各突極の腕部が、コア中心からほぼ等しい中心開角θをなして放射状に延びる各中心線に沿ってそれぞれ延在しているとともに、
上記各突極の腕部に対してコイル巻線がそれぞれ巻回された回転電機の電機子において、
上記各突極の腕部の中心線から円周方向両側に向かって前記中心開角θの１／２ずつを振り分けた両周端位置における半径方向線を境界線として、前記円周方向に隣接する一対の突極が、上記境界線の両側に配置されたものであって、
上記一対の突極のうちの一方側に巻回されたコイル巻線の一部が、上記境界線を越えて他方側の突極に向かって張り出した凸状の巻回形状をなすように形成されているとともに、
上記他方側の突極に巻回されたコイル巻線の一部が、上記一方側の突極のコイル巻線における凸状の巻回形状と干渉しないように前記境界線から窪んだ凹状の巻回形状をなすように形成されていることを特徴とする回転電機の電機子。
【請求項２】
前記分割コアが、前記複数個の各突極ごとに円周方向に沿って分割された構造になされていることを特徴とする請求項１記載の回転電機の電機子。
【請求項３】
前記分割コアが、磁性板を厚さ方向に積層した積層コアから構成されているとともに、
前記境界線が、円周方向に隣接する一対の分割コアどうしの接合面に沿って延在していることを特徴とする請求項２記載の回転電機の電機子。
【請求項４】
前記コイル巻線は、円周方向に隣接する分割コアごとに交互に相違する２種類の巻回形状を有していることを特徴とする請求項２記載の回転電機の電機子。
【請求項５】
前記コイル巻線は、全ての分割コアにおいて同一の巻回数に設定されていることを特徴とする請求項２記載の回転電機の電機子。
【請求項６】
前記コイル巻線は、円周方向に隣接する分割コアごとに交互に相違する巻回数に設定されていることを特徴とする請求項２記載の回転電機の電機子。
【請求項７】
請求項１ないし請求項６のいずれかに記載の電機子を備えたことを特徴とする回転電機。
【請求項８】
分割コアを複数個にわたって組み合わせることにより、複数個の突極を円周方向に沿って環状に隣接させるように配列して電機子を製造する方法であって、
上記複数個の分割コアを組み合わせたときの各突極の腕部を、コア中心からほぼ等しい中心開角θをなして放射状に延びる各中心線に沿ってそれぞれ延在させるとともに、
上記各突極の腕部に対してコイル巻線をそれぞれ巻回する回転電機の電機子製造方法において、
上記各突極の腕部の中心線から円周方向両側に向かって前記中心開角θの１／２ずつを振り分けた両位置における半径方向線を境界線として、前記円周方向に隣接する一対の突極を、上記境界線の両側に配置する方法であって、
上記一対の突極のうちの一方側に巻回されたコイル巻線の一部を、上記境界線を越えて他方側の突極に向かって張り出した凸状の巻回形状をなすように形成するとともに、
上記他方側の突極に巻回されたコイル巻線の一部を、上記一方側の突極のコイル巻線における凸状の巻回形状と干渉しないように前記境界線から窪んだ凹状の巻回形状をなすように形成することを特徴とする回転電機の電機子製造方法。
【発明の詳細な説明】
【技術分野】
【０００１】
本発明は、複数個の分割コアを組み合わせることによって複数個の突極を円周方向に配列した回転電機の電機子およびそれを用いた回転電機、ならびに回転電機の電機子製造方法に関する。
【背景技術】
【０００２】
従来より、モータ等の回転電機に用いられている電機子に関して、電機コアを分割コア構造とした提案が種々なされている。分割コア構造は、巻線の占積率を向上させて銅損の低減等を図り、回転特性の向上及び小型化を可能とすることを目的としたものであるが、例えば図９に示されているように、電機子コア１の全体を、円周方向に沿って複数個に分割された分割コア２の環状集合体から構成しており、これら複数個の分割コア２を固定するにあたっては、各分割コア２の外周側に配置された円弧状コア片３どうしを円周方向に沿って突き合わせるように当接させて、図示を省略したネジ等の締付力によってフレーム側に固定するようにしている。（例えば、特許文献１および特許文献２参照）
【０００３】
そして、このような分割コア構造の電機子に対してコイル巻線４を施す場合にあたっては、上記各分割コア２ごとにコア巻線組を独立に製造するようにしている。例えば、各分割コア２ごとに樹脂製の絶縁層を形成した後に、特に図１０に示されているように、上記各分割コア２ごとに設けられた突極の腕部５に対してコイル巻線４をそれぞれ集中巻きしている。このような分割コア構造の電機子を採用すれば、より太いコイルをより多くのターン数にわたって巻回することが可能となり、コイル巻線における、いわゆる線積率を容易に向上させることが可能となる。
【０００４】
また、コイル巻線４を巻回するにあたって、複数個の分割コア２を直線状に並べるように展開状態としておき、それによって各突極の腕部５どうしの間の隙間を大きく開いて拡大した上で、上記各突極の腕部５に対してコイル巻線４をそれぞれ巻回するようにしたものもある。（例えば、特許文献３参照）
【０００５】
【特許文献１】特開平９−３２２４３９号公報
【特許文献２】特開２００１−２５１８６号公報
【特許文献３】特開平１０−１３６５８９号公報
【発明の開示】
【発明が解決しようとする課題】
【０００６】
ところが、このような分割コア構造からなる従来の電機子においては、コイル巻線４の線積率が未だ十分に高められていない。すなわち、一般に分割コア構造を備えた電機子では、複数個の分割コア２を組み付ける際に、円周方向に隣接する分割コア２，２どうしが干渉しないように配置する必要があるが、上述した従来の分割コア構造の電機子においては、分割コア２の組込み性を確保するために、例えば図１１に示されているように、全ての分割コア２のコイル巻線４が、隣接する他の分割コア２のコイル巻線４との境界線Ｘを越えることがないように巻回されている。すなわち、従来の分割コア構造では、全てのコイル巻線４の巻回形状が、上記境界線Ｘから窪んだ凹状の巻回形状をなすように形成されている。
【０００７】
しかしながら、このように全てのコイル巻線４が、他のコイル巻線４との境界線Ｘを越えない窪んだ凹状の巻回形状になされていると、隣接する分割コア２，２におけるコイル巻線４，４どうしの間には、未だ無駄な空間が形成されていることとなり、その分、コイル巻線の線積率も未だ十分ではないのが現状であり、トルク定数などの特性に改善の余地がある。
【０００８】
そこで本発明は、分割コア構造におけるコイル巻線の線積率をより一層向上させることができるようにした回転電機の電機子およびそれを用いた回転電機、ならびに回転電機の電機子製造方法を提供することを目的とする。
【課題を解決するための手段】
【０００９】
上記目的を達成するため請求項１にかかる回転電機の電機子では、突極の腕部がコア中心からほぼ等しい中心開角θをなして放射状に延在する分割コアにおいて、円周方向に隣接する一対の突極が、当該突極の腕部の中心線から円周方向両側に向かって中心開角θの１／２ずつを振り分けた両周端位置における半径方向線を境界線として、その両側に配置されたものであって、上記一対の突極のうちの一方側に巻回されたコイル巻線の一部が、上記境界線を越えて他方側の突極に向かって張り出した凸状の巻回形状をなすように形成されているとともに、上記他方側の突極に巻回されたコイル巻線の一部が、上記一方側の突極のコイル巻線における凸状の巻回形状と干渉しないように前記境界線から窪んだ凹状の巻回形状をなすように形成されている。
このような構成を有する請求項１における回転電機の電機子によれば、円周方向に隣接する突極に巻回されたコイル巻線が、境界線を越えないで巻回したときに生じる空間内にも巻回されることが可能となり、その分、コイル巻線の線積率が向上されることとなる。
【００１０】
また、本発明の請求項２にかかる回転電機の電機子では、上記請求項１における分割コアが、複数個の各突極ごとに円周方向に沿って分割された構造になされている。
このような構成を有する請求項２にかかる回転電機の電機子によれば、各分割コアごとに設けられた各突極に対してコイル巻線を個々に巻回することが可能となり、巻回作業の効率化が図られる。
【００１１】
さらに、本発明の請求項３にかかる回転電機の電機子では、上記請求項２における分割コアが、磁性板を厚さ方向に積層した積層コアから構成されているとともに、境界線が、円周方向に隣接する一対の分割コアどうしの接合面に沿って延在している。
このような構成を有する請求項３にかかる回転電機の電機子によれば、円周方向に隣接する分割コアどうしの境界線が明確化されることとなり、その結果、コイル巻線の巻回作業が容易かつ正確に行われるようになっている。
【００１２】
さらにまた、本発明の請求項４にかかる回転電機の電機子では、上記請求項２におけるコイル巻線が、円周方向に隣接する分割コアごとに交互に相違する２種類の巻回形状を有している。
このような構成を有する請求項４にかかる回転電機の電機子によれば、コイル巻線の巻回形状が２種類で済むこととなり、コイル巻線の製造または管理が容易に行われる。
【００１３】
また、本発明の請求項５にかかる回転電機の電機子では、上記請求項２におけるコイル巻線が、全ての分割コアにおいて同一の巻回数に設定されている。
このような構成を有する請求項５にかかる回転電機の電機子によれば、コイル巻線の巻回形状にかかわらず、励磁バランスが良好に維持されるとともに、巻回作業が容易化される。
【００１４】
さらに、本発明の請求項６にかかる回転電機の電機子では、上記請求項２におけるコイル巻線は、円周方向に隣接する分割コアごとに交互に相違する巻回数に設定されている。
このような構成を有する請求項６にかかる回転電機の電機子によれば、許容される特性の範囲内ならば、分割コアどうしの間の空間形状に合わせてコイル巻線を巻回することが可能となり、線積率の向上をさらに図ることが可能となる。
【００１５】
一方、本発明の請求項７にかかる回転電機では、上記請求項１ないし請求項６のいずれかに記載の電機子を備えている。
このような構成を有する請求項７にかかる回転電機によれば、上述した回転電機の電機子による良好な作用が同様に得られる。
【００１６】
また、本発明の請求項８にかかる回転電機の電機子の製造方法では、突極の腕部がコア中心からほぼ等しい中心開角θをなして放射状に延在する分割コアにおいて、円周方向に隣接する一対の突極を、当該突極の腕部の中心線から円周方向両側に向かって前記中心開角θの１／２ずつを振り分けた両位置における半径方向線を境界線として、その両側に配置する方法であって、上記一対の突極のうちの一方側に巻回されたコイル巻線の一部を、上記境界線を越えて他方側の突極に向かって張り出した凸状の巻回形状をなすように形成するとともに、上記他方側の突極に巻回されたコイル巻線の一部を、上記一方側の突極のコイル巻線における凸状の巻回形状と干渉しないように前記境界線から窪んだ凹状の巻回形状をなすように形成する。
このような構成を有する請求項８における回転電機の電機子製造方法によれば、円周方向に隣接する突極に巻回されたコイル巻線が、境界線を越えないで巻回したときに生じる空間内にも巻回されることが可能となり、その分、コイル巻線の線積率が向上されることとなる。
【発明の効果】
【００１７】
以上述べたように、本発明にかかる回転電機の電機子は、円周方向に隣接する一対の突極を、当該突極の腕部の中心線から円周方向両側に向かって等角で振り分けた境界線の両側に配置し、上記一対の突極のうちの一方側に巻回したコイル巻線の一部を、上記境界線を越えて張り出した凸状の巻回形状をなすように形成するとともに、上記他方側の突極に巻回したコイル巻線の一部を、上記一方側の分割コア突極における凸状の巻回形状と干渉しないように前記境界線から窪んだ凹状の巻回形状をなすように形成したことによって、円周方向に隣接する突極のコイル巻線を、境界線を越えないで巻回したときに生じる空間内にも巻回されることを可能としてコイル巻線の線積率をより一層向上させるように構成したものであるから、回転電機を大型化させることなくトルク定数などの特性を確実に改善することができる。
【００１８】
また、本発明にかかる回転電機の電機子の製造方法は、円周方向に隣接する一対の突極のうちの一方側に巻回したコイル巻線の一部を、両者の突極を越えて張り出した凸状の巻回形状をなすように形成するとともに、上記他方側の分割コア側に巻回したコイル巻線の一部を、上記一方側の突極のコイル巻線における凸状の巻回形状と干渉しないように前記境界線から窪んだ凹状の巻回形状をなすように形成したことによって、円周方向に隣接する突極に巻回したコイル巻線を、境界線を越えないで巻回したときに生じる空間内にも巻回されることを可能としてコイル巻線の線積率をより一層向上させるように構成したものであるから、回転電機を大型化させることなくトルク定数などの特性を確実に改善することができる。
【発明を実施するための最良の形態】
【００１９】
以下、本発明をモータの電機子に適用した実施形態を、図面に基づいて詳細に説明する。
【００２０】
図１に示されているインナーロータ型モータ用電機子１０は、各極ごとに分割した６体の分割コア１１を円環状に組み合わせるようにして集合させた構造を有するものであって、上記各分割コア１１は、磁性板を厚さ方向に積層した積層コアからそれぞれ形成されている。これらの各分割コア１１は、円環状のリング状コアを円周方向に６体に分割したときの形状を有する円弧状コア片１２と、それらの各円弧状コア片１２からコア中心に向かって放射状に突出する６体の突極１３とを備えている。
【００２１】
このうち、上記各円弧状コア片１２における円周方向の両端面は、半径方向に延在する接合面１２ａ，１２ａにそれぞれ形成されており、周方向に隣接する他の円弧状コア片１２に設けられた接合面１２ａ，１２ａに対して、互いに円周方向に突き合わせるようにして密着接合されている。
【００２２】
一方、上記各突極１３には、上述した各円弧状コア片１２の半径方向内周面における略中央部分からリブ状腕部１３ａが放射状に延在するように設けられている。すなわち、それらの各リブ状腕部１３ａは、上述した６体の分割コア１１を円環状に組み合わせた際に、コア中心Ｏからほぼ等しい中心開角θをなして放射状に延びる中心線Ｃに沿って延在するように形成されており、それらの各リブ状腕部１３ａが上記コア中心Ｏに向かって突出した内端部分には、当該リブ状腕部１３ａから円周方向両側に向かって張り出すティース状集磁部１３ｂがそれぞれ形成されている。これらの各ティース状集磁部１３ｂの半径方向内周面は、略円弧状をなすように形成されており、図示を省略したロータ部の外周表面に近接するように配置される。
【００２３】
また、上記各突極１３のリブ状腕部１３ａには、適宜の絶縁部材が被着されており、その絶縁部材を介してコイル巻線１４が、集中巻きにより複数段にわたって整列された状態で巻回されている。
【００２４】
このような６体の分割コア１１のうち、円周方向に隣接する一対の分割コア１１，１１どうしの間には、配置領域に関する相互の境界線Ｘが仮想されることとなるが、本実施形態における各境界線Ｘは、上述した各円弧状コア片１２の円周方向両端面に形成された接合面１２ａ，１２ａに沿った位置において半径方向に延在している。すなわち、それらの各境界線Ｘは、上述した各突極１３の腕部１３ａの中心線Ｃから円周方向両側に向かって等角に振り分けた両周端位置にそれぞれ延在しており、そのときの振り分け角度は、上述した腕部１３ａの中心線Ｃどうしの間の中心開角θの１／２（＝θ／２）に設定されたものとなっている。
【００２５】
そして、円周方向に隣接する一対の分割コア１１，１１の一方側に設けられたコイル巻線１４は、特に図２に示されているように、半径方向の一部が上述した境界線Ｘを越えて他方側の分割コア１１側に張り出した凸状巻回形状１４ａをなすように形成されている。一方、その一方側の分割コア１１に隣接する他方側の分割コア１１に巻回された巻線１４の巻回形状（外形形状）は、上記一方側の分割コア１１に巻回されたコイル巻線１４の凸状巻回形状１４ａと干渉することのないように、前記境界線Ｘから窪んだ凹状巻回形状１４ｂをなすように形成されている。
【００２６】
つまり、本実施形態における分割コア１１は、図３（ａ）および（ｂ）に示されているように、上記コイル巻線１４の巻回形状が互いに異なる２種類のものが円周方向に沿って３個ずつ交互に配置されたものとなっており、これら２種類の一方側のコイル巻線１４の凸状巻回形状１４ａと、他方側のコイル巻線１４の凹状巻回形状１４ｂとが、隣接する一対の分割コア１１，１１どうしの間の隙間を無駄なく埋め尽くすように配置されていて、それによって、コイル巻線１４の線積率の向上が図られるようになっている。
【００２７】
また、本実施形態における上記２種類のコイル巻線１４どうしは、互いに同一の巻回数を有するように設定されており、いずれの分割コア１１においても、例えば、４５ターンで巻回されたコイル巻線１４が用いられている。すなわち、このような同一の巻回数を有する構成を採用することによって、コイル巻線１４の巻回形状が互いに異なっているにもかかわらず、励磁バランスが良好に維持されるとともに、巻回作業が容易化される。
【００２８】
ただし、許容される特性の範囲内となるならば、隣接する分割コア１１ごとにコイル巻線１４の巻回数を相違する巻回数に設定することも可能である。そのように相違する巻回数に設定することによって、分割コア１１どうしの間の空間形状に合わせてコイル巻線１４をより一層密に巻回することが可能となり、線積率の向上をさらに図ることが可能となる場合があるからである。
【００２９】
このように本実施形態によれば、円周方向に隣接する分割コア１，１１の各コイル巻線１４が、境界線Ｘを越えないで巻回したときに生じる空間内にも巻回されることとなり、その分、コイル巻線１４の線積率が向上されることとなって、モータを大型化することなく、トルク定数等の回転特性の向上を図ることが可能となる。
【００３０】
このとき本実施形態では、円周方向に隣接する分割コア１１，１１どうしの境界線Ｘが、それらの各分割コア１１，１１どうしの接合面１２ａに沿って延在していることから、円周方向に隣接する分割コア１１，１１どうしの境界線が明確化されることとなり、それによって、コイル巻線１４の巻回作業が容易かつ正確に行われることとなる。
【００３１】
さらに、本実施形態では、コイル巻線１４が、円周方向に隣接する分割コア１１，１１ごとに交互に相違する２種類の巻回形状を有していることから、コイル巻線１４の巻回形状が２種類で済むこととなり、コイル巻線１４の製造または管理が容易に行われる。
【００３２】
次に、上述した実施形態に対応する構成物を同一の符号で表した図４に示されている実施形態においては、図５（ａ）および（ｂ）に示されているような異なる２種類のコイル巻線２４の巻回形状を有するものが、円周方向に沿って交互に配置されたものとなっており、これら２種類の一方側のコイル巻線２４の凸状巻回形状２４ａと、他方側のコイル巻線２４の凹状巻回形状２４ｂとが、隣接する一対の分割コア１１，１１どうしの間の隙間を無駄なく埋め尽くすように配置されていて、それによって、コイル巻線２４の線積率の向上が図られるようになっている。
【００３３】
そして本実施形態では、上述したコイル巻線２４における各巻回階層、つまり各突極１３のリブ状腕部１３ａに巻回されたコイル巻線２４の総階層数が「偶数」となるように設定されていて、図５（ａ）に示されているコイル巻線２４では、総階層数が６層に設定されているとともに、図５（ｂ）に示されているコイル巻線２４では、総階層数が８層に設定されている。このような「偶数」の総階層数を有する構成によって、コイル巻線２４の巻き始めと巻き終わりとが、リブ状腕部１３ａの長手方向（半径方向）において同一の端部側に設定されることとなってコイル巻線２４の巻線処理が同一の箇所で行われ、容易かつ確実な巻回作業が確保されるようになっている。
【００３４】
また、本実施形態では、上述したコイル巻線２４の各巻回階層におけるターン数（巻回数）が、第１層目を含む奇数層において（Ｎ−１）ターン、第２層目を含む偶数層において、それより一つ少ないＮターンに設定されており、このような設定によって、全巻回階層にわたって無駄な空間を生じることなく巻回が行われる。
【００３５】
さらにこのとき、上述した突極１３のリブ状腕部１３ａに対して直接巻回されているコイル巻線２４の第１層目の巻回階層は（Ｎ−１）ターンになされていて、上記リブ状腕部１３ａの長手方向（半径方向）における両端部分、つまり前述した円弧状コア片１２およびティース状集磁部１３ｂとの各接合部分に、１ターン少ない分に相当する隙間が振り分けで形成される構成になされている。そして、図６にも示されているように、それらの各隙間を利用して、上述した各接合部分に対するアール部Ｒ１，Ｒ２が湾曲面状をなすようにそれぞれ形成されており、そのような湾曲面状のアール部Ｒ１，Ｒ２によって、上記各接合部分における磁束の通過面積が拡大され、その分、回転駆動特性が向上されるようになっている。
【００３６】
さらに本実施形態においては、上述したコイル巻線２４の各巻回階層のうちの巻回前半側部分における巻回階層（本実施形態では第１層目から第４層目まで）が、上述した円弧状コア片１２とティース状集磁部１３ｂとの半径方向対向面間に挟み込まれるようにして保持されている。そして、上記コイル巻線２４の巻回前半側の巻回階層の最終層（本実施形態では第４層目）が、ティース状集磁部１３ｂにおける周方向の両終位置１３ｃ，１３ｃにそれぞれ配置されていて、そのティース状集磁部１３ｂの周方向における両周端位置１３ｃ，１３ｃの先端部分が、Ｒ部（湾曲部）を有しない鋭角状の突起をなすように形成されている。それによって、上述したコイル巻線２４における巻回前半側の巻回階層の最終層（本実施形態では第４層目）が、上述したティース状集磁部１３ｂの両周端位置１３ｃ，１３ｃの先端角部により良好に保持されることとなり、コイル巻線２４の崩れが防止されるようになっている。
【００３７】
なお本実施形態では、上述したように、コイル巻線２４の各巻回階層のうちの偶数層に対して、より多いターン数（Ｎターン）を巻回することとしているが、上記ティース状集磁部１３ｂの両周端位置１３ｃ，１３ｃの先端角部には、コイル巻線２４の各巻回階層のうちの偶数層目が保持されるように構成されていて、それによって、コイル巻線２４の保持が上記ティース状集磁部１３ｂにより確実に行われるようにしている。
【００３８】
一方、上述した実施形態に対応する構成物を同一の符号で表した図７及び図８に示されている実施形態においては、コイル巻線３４およびコイル巻線４４の各断面形状が、六角形（図７参照）および四角形（図８参照）にそれぞれ形成されている。このような各実施形態によれば、コイル巻線３４およびコイル巻線４４どうしの密着性が、上述した実施形態のような円形断面の場合に比して向上されることとなり、それによって、コイル巻線の線積率が向上されるとともに、コイル巻線の巻き崩れがなくなる。
【００３９】
以上、本発明者によってなされた発明を実施形態に基づいて具体的に説明したが、本発明は上記実施形態に限定されるものではなく、その要旨を逸脱しない範囲で種々変形可能であるというのは言うまでもない。
【００４０】
例えば、上述した実施形態では、コイル巻線１４の巻回形状を２種類に設定しているが、３種類以上の巻回形状を採用することも可能である。
【００４１】
また、上述した実施形態では、各分割コアを円周方向に完全に分離した状態で形成しているが、本発明は、完全に分離して形成したものに限定されることはなく、例えば特開平１０−１３６５８９号公報のように、分割コアの一部を接合した状態で分割コアを展開可能に形成したものに対しても本発明は同様に適用することが可能である。また、特開平８−１３０８４４号公報のように、分割コアを半径方向の内外に分離して形成したものなどに対しても本発明は同様に適用することが可能であるが、その場合には、予め巻回されたコイル巻線をリブ状腕部へ差し込んだ後にコア外周を形成するリング状コア部の嵌込みが行われることとなる。
【００４２】
さらに、本発明は、上述した実施形態のようなインナーロータ型の電機子に限定されることはなく、例えば特開２００１−２５１８６号公報に開示されているようなアウターロータ型の電機子に対しても同様に適用することが可能であり、さらにまた、本発明は、モータに限定されることなく、発電機等の他の回転電機に対しても同様に適用することができるものである。
【産業上の利用可能性】
【００４３】
以上述べた本発明にかかる回転電機の電機子は、モータを始めとして発電機などのような多種多様な回転電機において広く採用することが可能である。
【図面の簡単な説明】
【００４４】
【図１】本発明の一実施形態におけるインナーロータ型モータの電機子を表した平面説明図である。
【図２】図１に示された電機子を構成している一対の分割コアどうしの接合部分を拡大して表した平面説明図である。
【図３】図１に示された電機子を構成している２種類の分割コアを表した分解説明図である。
【図４】本発明の他の実施形態におけるインナーロータ型モータの電機子を表した平面説明図である。
【図５】図４に示された電機子を構成している２種類の分割コアを表した分解説明図である。
【図６】図４及び図５に示された分割コアのリブ状腕部とティース状集磁部との接合部分を拡大して表した平面説明図である。
【図７】本発明のさらに他の実施形態における電機子を構成している一対の分割コアどうしの接合部分を拡大して表した平面説明図である。
【図８】本発明のさらに他の実施形態における電機子を構成している一対の分割コアどうしの接合部分を拡大して表した平面説明図である。
【図９】一般のインナーロータ型モータの電機子を表した平面説明図である。
【図１０】図９に示された電機子を構成している分割コアを表した分解説明図である。
【図１１】図９に示された電機子を構成している一対の分割コアどうしの接合部分を拡大して表した平面説明図である。
【符号の説明】
【００４５】
１０  インナーロータ型モータ用電機子
１１  分割コア
１２  円弧状コア片
１２ａ  接合面
１３  突極
１３ａ  リブ状腕部
１３ｂ  ティース状集磁部
Ｏ  コア中心
θ  中心開角
Ｃ  中心線
Ｘ  境界線
１４  コイル巻線
１４ａ  凸状巻回形状
１４ｂ  凹状巻回形状
２４，３４，４４  コイル巻線
【図１】
2004260985.tif 000003
【図２】
2004260985.tif 000004
【図３】
2004260985.tif 000005
【図４】
2004260985.tif 000006
【図５】
2004260985.tif 000007
【図６】
2004260985.tif 000008
【図７】
2004260985.tif 000009
【図８】
2004260985.tif 000010
【図９】
2004260985.tif 000011
【図１０】
2004260985.tif 000012
【図１１】
2004260985.tif 000013